(57)【特許請求の範囲】
【請求項１】
シャッタを備えたエスカレーターに設置された監視装置に接続された無線通信装置と遠隔監視センタとの間で公衆無線回線網を経由してデータ通信が可能なエスカレーター遠隔監視システムにおいて、前記監視装置は、前記遠隔監視センタにより設定される前記公衆無線回線網における回線の使用可否状態を確認するための回線チェック通報を前記シャッタの開閉状態の検出結果が閉状態である場合には行わずに開状態である場合に行うと共に、当該閉状態があった場合に当該回線チェック通報が遅延された旨を示す通報遅延情報、並びに当該閉状態の時間帯情報を当該回線チェック通報と合わせて前記無線通信装置及び当該公衆無線回線網を経由して当該遠隔監視センタへ送信することを特徴とするエスカレーター遠隔監視システム。
【請求項２】
請求項１記載のエスカレーター遠隔監視システムにおいて、前記遠隔監視センタは、前記監視装置から前記無線通信装置及び前記公衆無線回線網を経由して受信した前記時間帯情報を通信不可時間帯としてデータベースに対して蓄積して格納すると共に、当該通信不可時間帯を避けて当該監視装置により前記回線チェック通報を行わせるための回線チェック通報時刻を当該公衆無線回線網及び当該無線通信装置を経由して当該監視装置に設定し、且つ当該監視装置からの当該無線通信装置及び当該公衆無線回線網を経由した前記エスカレーターの運行データを受信してのデータ収集を当該通信不可時間帯を避けたデータ収集実施時刻で行わせる通信情報処理制御装置を備えたことを特徴とするエスカレーター遠隔監視システム。
【請求項３】
請求項２記載のエスカレーター遠隔監視システムにおいて、前記通信情報処理制御装置は、前記回線チェック通報時刻、並びに前記データ収集実施時刻をそれぞれデータベースに対して蓄積して格納することを特徴とするエスカレーター遠隔監視システム。
【請求項４】
請求項３記載のエスカレーター遠隔監視システムにおいて、前記遠隔監視センタは、前記通信不可時間帯を格納した通信不可時間帯格納用データベースと、前記回線チェック通報時刻を格納した回線チェック通報時刻格納用データベースと、前記データ収集実施時刻を格納したデータ収集実施時刻格納用データベースと、を備えたことを特徴とするエスカレーター遠隔監視システム。
【発明の詳細な説明】
【技術分野】
【０００１】
本発明は、エスカレーターの監視装置と遠隔監視センタとの間で無線通信公衆回線を介してデータ通信するシステム構成であって、安定した通信品質を維持するために好適なエスカレーター遠隔監視システムに関する。
【背景技術】
【０００２】
従来、公衆回線網等の通信回線を介して遠隔監視を行うエスカレーター遠隔監視システムは、エスカレーターの監視装置とエスカレーターの運行状況の収集を行う遠隔監視センタとの間を有線式の公衆回線網を使用して接続し、エスカレーターの異常が発生した場合の通報の受信を監視装置から公衆回線網を経由して遠隔監視センタで行わせる構成のものが知られている。
【０００３】
ところで、既設のエスカレーターに監視装置を設置する場合、有線式の公衆回線網を使用するときには新たに通信線を敷設しなければならず、そのための工事期間や費用が増大してしまうことが問題となる。そこで、こうした問題を解決するための技術も提案されている。例えばＰＨＳ（登録商標）等の公衆無線回線網を使用し、無線通信機のアンテナを操作器（操作盤）に取り付けた「乗客コンベアの通信装置」（特許文献１参照）、電波の送受を行う平面型アンテナをエスカレーター乗場のポールに取付けた「エスカレーターの遠隔監視システム」（特許文献２参照）が挙げられる。
【先行技術文献】
【特許文献】
【０００４】
【特許文献１】特開２００２−１４５５７０号公報
【特許文献２】特開２００７−１７２９号公報
【発明の概要】
【発明が解決しようとする課題】
【０００５】
上述した特許文献１や特許文献２に係る技術では、エスカレーターに設置されているシャッタが閉じていると、操作盤やエスカレーター乗場のポールに設置したアンテナと無線通信公衆基地局及び公衆回線網による公衆無線回線網（特に前者の無線通信公衆基地局）との間のデータ通信が妨げられることにより、監視装置と遠隔監視センタとの間のデータ通信を正常に行うことができない場合があり、こうした場合には監視装置及び遠隔監視センタの間の回線使用時間が増大し、それに伴って回線使用料が増加してしまうという問題を生じる。
【０００６】
具体的に云えば、監視装置では、遠隔監視センタとの間のデータ通信を行うための公衆無線回線網（公衆回線網）における回線の使用可否状態を確認する回線チェック通報、並びにエスカレーターの運行状態を収集するためのデータ収集を行う機能が持たされているが、係る機能をエスカレーターのシャッタの開閉状態に拘わらずに働かせようとすると、シャッタの閉状態ではデータ通信がエラー発生して失敗した後に通信リトライを継続的に行うことになるため、これによって回線使用時間の増大や回線使用料の増加を招いてしまう。
【０００７】
本発明は、このような問題点を解決すべくなされたもので、その技術的課題は、エスカレーターのシャッタの閉状態でのデータ通信機能を改善し、回線使用時間の増大や回線使用料の増加を招くことなく監視装置及び遠隔監視センタの間でデータ通信を確実に実行することができるエスカレーター遠隔監視システムを提供することにある。
【課題を解決するための手段】
【０００８】
上記技術的課題を解決するため、本発明の第１の手段は、シャッタを備えたエスカレーターに設置された監視装置に接続された無線通信装置と遠隔監視センタとの間で公衆無線回線網を経由してデータ通信が可能なエスカレーター遠隔監視システムにおいて、監視装置は、遠隔監視センタにより設定される公衆無線回線網における回線の使用可否状態を確認するための回線チェック通報をシャッタの開閉状態の検出結果が閉状態である場合には行わずに開状態である場合に行うと共に、当該閉状態があった場合に当該回線チェック通報が遅延された旨を示す通報遅延情報、並びに当該閉状態の時間帯情報を当該回線チェック通報と合わせて無線通信装置及び当該公衆無線回線網を経由して当該遠隔監視センタへ送信することを特徴とする。
【０００９】
第２の手段は、第１の手段において、遠隔監視センタは、監視装置から無線通信装置及び公衆無線回線網を経由して受信した時間帯情報を通信不可時間帯としてデータベースに対して蓄積して格納すると共に、当該通信不可時間帯を避けて当該監視装置により回線チェック通報を行わせるための回線チェック通報時刻を当該公衆無線回線網及び当該無線通信装置を経由して当該監視装置に設定し、且つ当該監視装置からの当該無線通信装置及び当該公衆無線回線網を経由したエスカレーターの運行データを受信してのデータ収集を当該通信不可時間帯を避けたデータ収集実施時刻で行わせる通信情報処理制御装置を備えたことを特徴とする。
【００１０】
第３の手段は、第２の手段において、通信情報処理制御装置は、回線チェック通報時刻、並びにデータ収集実施時刻をそれぞれデータベースに対して蓄積して格納することを特徴とする。
【００１１】
第４の手段は、第３の手段において、遠隔監視センタは、通信不可時間帯を格納した通信不可時間帯格納用データベースと、回線チェック通報時刻を格納した回線チェック通報時刻格納用データベースと、データ収集実施時刻を格納したデータ収集実施時刻格納用データベースと、を備えたことを特徴とする。
【発明の効果】
【００１２】
本発明のエスカレーター遠隔監視システムによれば、エスカレーターのシャッタの閉状態でのデータ通信機能を改善し、エスカレーターの監視装置からの遠隔監視センタに対する回線チェック通報、並びに遠隔監視センタからの監視装置で取得されるエスカレーターの運行データについてのデータ収集をシャッタが閉状態である時間帯を避けて開状態のときに行うため、監視装置及び遠隔監視センタの間でのデータ通信のエラー発生（失敗）に伴う通信リトライを低減化し、回線使用時間の増大や回線使用料の増加を招くことなく監視装置及び遠隔監視センタの間でデータ通信を確実に実行することができる。
【図面の簡単な説明】
【００１３】
【図１】本発明の実施例１に係るエスカレーター遠隔監視システムの基本構成を示した概略ブロック図である。
【図２】図１に示すエスカレーター遠隔監視システムに備えられる監視装置の動作処理（回線チェック通報処理）を示したフローチャートである。
【図３】図１に示すエスカレーター遠隔監視システムに備えられる遠隔監視センタの動作処理を示したフローチャートである。
【発明を実施するための形態】
【００１４】
以下に、本発明のエスカレーター遠隔監視システムについて、図面を参照して詳細に説明する。
【００１５】
図１は、本発明の実施例１に係るエスカレーター遠隔監視システムの基本構成を示した概略ブロック図である。このエスカレーター遠隔監視システムは、シャッタ２を備えたエスカレーター１と、エスカレーター１に取り付けられて設置された監視装置３と、監視装置３に接続された無線通信装置４と、無線通信装置４との間で公衆無線回線網を成す無線通信公衆基地局５及び公衆回線網６を経由してデータ通信が可能な遠隔監視センタ７と、を備えて構成される。
【００１６】
このうち、監視装置３は、遠隔監視センタ７により設定される公衆無線回線網（公衆回線網６）における回線の使用可否状態を確認するための回線チェック通報をシャッタ２の開閉状態の検出結果が閉状態である場合には行わずに開状態である場合に行うと共に、閉状態があった場合に回線チェック通報が遅延された旨を示す通報遅延情報、並びに閉状態についての時間帯情報を回線チェック通報と合わせて無線通信装置４と無線通信公衆基地局５及び公衆回線網６とを経由して遠隔監視センタ７へ送信する機能を持つ。
【００１７】
遠隔監視センタ７は、公衆回線網６及び無線通信公衆基地局５を経由して無線通信装置４との間でデータ通信の授受を行うためのデータ受信装置７ａ及びデータ発信装置７ｂを備える他、監視装置３から無線通信装置４と無線通信公衆基地局５及び公衆回線網６とを経由してデータ受信装置７ａで受信した時間帯情報を通信不可時間帯として後述するデータベースに対して蓄積して格納すると共に、通信不可時間帯を避けて監視装置３により回線チェック通報を行わせるための回線チェック通報時刻をデータ発信装置７ｂから公衆回線網６及び無線通信公衆基地局５と無線通信装置４とを経由して監視装置３に設定し、且つ監視装置３からの無線通信装置４と無線通信公衆基地局５及び公衆回線網６とを経由したエスカレーター１の運行データを受信してのデータ受信装置７ａにおけるデータ収集を通信不可時間帯を避けたデータ収集実施時刻で行わせる通信情報処理制御装置７ｆを備えている。
【００１８】
また、遠隔監視センタ７は、何れも通信情報処理制御装置７ｆによる通信データの情報処理制御に必要な各種情報を蓄積して格納するためのデータベースとして、受信された通信不可時間帯を格納する通信不可時間帯格納用データベース７ｃと、通信不可時間帯を避けた回線チェック通報時刻を格納する回線チェック通報時刻格納用データベース７ｄと、通信不可時間帯を避けたデータ収集実施時刻を格納するデータ収集実施時刻格納用データベース７ｅと、を備えている。
【００１９】
このエスカレーター遠隔監視システムでは、エスカレーター１に設置された監視装置３がエスカレーター１に故障が発生すると、無線通信装置４と無線通信公衆基地局５及び公衆回線網６とを経由して遠隔監視センタ７のデータ受信装置７ａに対して故障情報を送信する。また、遠隔監視センタ７では、通信情報処理制御装置７ｆが通信不可時間帯格納用データベース７ｃに格納された通信不可時間帯、並びに回線チェック通報時刻格納用データベース７ｄに格納された回線チェック通報時刻を読み出し、監視装置３により回線チェック通報を行わせるための通信不可時間帯を避けた回線チェック通報時刻をデータ発信装置７ｂから公衆回線網６及び無線通信公衆基地局５と無線通信装置４とを経由して監視装置３に設定する。これにより、監視装置３は定期的に無線通信装置４と無線通信公衆基地局５及び公衆回線網６とを経由して遠隔監視センタ７のデータ受信装置７ａへデータ通信を行い、公衆回線網６の回線の使用可否をチェックして回線チェック通報を行う。
【００２０】
また、遠隔監視センタ７では、通信情報処理制御装置７ｆがデータ収集実施時刻格納用データベース７ｅに格納されたデータ収集実施時刻を読み出し、通信不可時間帯を避けたデータ収集実施時刻に監視装置３が取得したエスカレーター１の運行データについて、無線通信装置４と無線通信公衆基地局５及び公衆回線網６とを経由してデータ受信装置７ａで受信するデータ収集を行う。因みに、監視装置３がエスカレーター１に発生した運行データの異常状態を故障情報として遠隔監視センタ７のデータ受信装置７aへ送信する場合と、監視装置３が定期的に回線チェック通報を遠隔監視センタ７のデータ受信装置７aへ行う場合と、遠隔監視センタ７の通信情報処理制御装置７ｆがデータ発信装置７ｂから指令制御して監視装置３で取得されたエスカレーター１の運行データをデータ受信装置７aでデータ収集する場合とについて、データ通信が失敗（エラー発生）した場合には、規定回数リトライ処理を行う。
【００２１】
遠隔監視センタ７の通信情報処理制御装置７ｆによりデータ発信装置７ｂから指令制御されて設定される回線チェック通報時刻で監視装置３が回線チェック通報を行うとき、シャッタ２が閉状態であれば無線通信装置４と無線通信公衆基地局５との間の無線データ通信が妨害されてしまい、無線データ通信が正常に行われなくなる可能性があるため、ここではシャッタ２が開状態になるまでデータ通信の開始を行わずに待機させる。監視装置３では、シャッタ２が開状態になるとデータ通信を開始し、シャッタ２の閉状態により回線チェック通報が遅延された旨を示す通報遅延情報とシャッタ２の閉状態についての時間帯情報とを回線チェック通報と合わせて無線通信装置４と無線通信公衆基地局５及び公衆回線網６とを経由して遠隔監視センタ７のデータ受信装置７aへ送信する。
【００２２】
遠隔監視センタ７では、通信情報処理制御装置７ｆがデータ受信装置７aで受信されたシャッタ２の閉状態についての時間帯情報を通信不可時間帯として通信不可時間帯格納用データベース７ｃに格納する。ここで、回線チェック通報時刻格納用データベース７ｄの回線チェック通報時刻が通信不可時間帯となっている場合には、その回線チェック通報時刻を通信不可時間帯以外になるように変更する。また、データ収集実施時刻格納用データベース７eのデータ収集実施時刻についても同様に、通信不可時間帯となっている場合には通信不可時間帯以外になるように変更する。これにより、監視装置３が遠隔監視センタ７のデータ受信装置７ａへ向けて行う回線チェック通報を実施するために必要な回線チェック通報時刻をシャッタ２が開状態となっているタイミングで遠隔監視センタ７のデータ発信装置７ｂから公衆回線網６及び無線通信公衆基地局５と無線通信装置４とを経由して監視装置３に設定することができると共に、監視装置３からのエスカレーター１の運行データについての無線通信装置４と無線通信公衆基地局５及び公衆回線網６とを経由したデータ受信装置７ａでのデータ収集もシャッタ２が開状態となっているタイミングで行うことができる。
【００２３】
なお、シャッタ２についての開閉状態、並びに動作時刻や動作時間の検出については、例えば監視装置３がシャッタ２の電動駆動装置を制御する制御装置（図示せず）から動作状態を示す信号を受信してデータ処理することにより、判断して計測できるものである。
【００２４】
図２は、監視装置３の動作処理（回線チェック通報処理）を示したフローチャートである。監視装置３では、動作開始後に遠隔監視センタ７の通信情報処理制御装置７ｆによりデータ発信装置７ｂから回線チェック通報時刻を設定する制御指令を送信しているか否かを確認することにより、回線チェック通報時刻は設定されているか否かの判定（ステップＳ１）を行う。この判定の結果、設定されていなければ動作処理開始後にリターンして待機するが、設定されていればその回線チェック通報時刻が現在の時刻と一致しているか否かを確認することにより、回線チェック通報時刻か否かの判定（ステップＳ２）を行う。この判定の結果、回線チェック通報時刻でなければ動作処理開始後にリターンして待機するが、回線チェック通報時刻であれば引き続いてシャッタ２が閉じているか否かの判定（ステップＳ３）を行う。
【００２５】
この判定の結果、閉じていれば（閉状態であれば）、この判定前にリターンして開状態になるまで待機するが、閉じていなければ（開状態であれば）、シャッタ２の閉状態で回線チェック通報が遅延しているか否かを確認することにより、シャッタ２による回線チェック通報遅延発生であるか否かの判定（ステップＳ４）を行う。この判定の結果、遅延が発生していれば回線チェック通報が遅延した旨を示す情報（通報遅延情報）、並びにシャッタ２の閉状態についての時間帯情報を回線チェック通報の実施に際して付加するための回線チェック通報時刻変更要求セット（ステップＳ５）の処理を行った後、回線チェック通報を行う回線チェック通報実施（ステップＳ６）の処理に移行してから動作処理開始後にリターンするが、遅延が発生していなければそのまま回線チェック通報実施（ステップＳ６）の処理に移行してから動作処理開始後にリターンする。
【００２６】
図３は、遠隔監視センタ７の動作処理（通信情報処理制御装置７ｆの動作処理）を示したフローチャートである。遠隔監視センタ７では、監視装置３から送信された回線チェック通報をデータ受信装置７ａで受信すると、通信情報処理制御装置７ｆが受信した回線チェック通報に通報遅延情報が付加（セット）されているか否かを確認することにより、受信した回線チェック通報データにシャッタ２による遅延情報ありか否かの判定（ステップＳ１１）を行う。この判定の結果、遅延情報がなければ動作処理を終了するが、遅延情報があれば回線チェック通報時刻格納用データベース７ｄ内の回線チェック通報時刻をシャッタ２が開状態となった時間帯に変更する回線チェック通報時刻修正（ステップＳ１２）の処理を行った後、データ収集実施時刻格納用データベース７e内のデータ収集実施時刻についてもシャッタ２が開状態となった時間帯に変更するデータ収集実施時刻修正（ステップＳ１３）の処理を行う。この後、監視装置３に対して回線チェック通報時刻格納用データベース７ｄ内に変更されて格納された回線チェック通報時刻を設定すべく、監視装置３へ回線チェック通報時刻設定（ステップＳ１４）する処理を行ってから動作処理を終了する。
【００２７】
上述した実施例１に係るエスカレーター遠隔監視システムでは、エスカレーター１の監視装置３でシャッタ２の開閉状態を検出した結果に基づいて、遠隔監視センタ７により設定される公衆無線回線網（公衆回線網６）についての回線チェック通報を閉状態である場合には行わずに開状態である場合に行い、且つ閉状態があった場合に回線チェック通報が遅延された旨を示す通報遅延情報、並びに閉状態についての時間帯情報を回線チェック通報と合わせて遠隔監視センタ７へ送信するため、従来のようなエスカレーター１のシャッタ２の閉状態でのデータ通信のエラー発生（失敗）に伴う通信リトライを継続的に行う機能が改善される。この結果、回線使用時間の増大や回線使用料の増加を招くことなく監視装置３及び遠隔監視センタ７の間のデータ通信を確実に実行することができる。
【００２８】
また、遠隔監視センタ７では、通信情報処理制御装置７ｆによってシャッタ２の閉状態についての時間帯情報を通信不可時間帯としてデータベース（通信不可時間帯格納用データベース７ｃ）に対して蓄積して管理し、係る通信不可時間帯を避けて監視装置３による回線チェック通報を行わせるための回線チェック通報時刻を監視装置３に設定し、しかも監視装置３からのエスカレーター１の運行データに係るデータ収集の受信についても同様に通信不可時間帯を避けたデータ収集実施時刻で行うため、データ通信を確実に行わせることができるばかりでなく、通信用のアクセス面で重要なデータを安全性高く保持して管理することができる。この結果、データ通信機能に異常が発生した場合にも業者による現地での保守点検を経ての復旧作業が低減化される。更に、エスカレーター１は、シャッタ２が閉じた状態であれば運行不可となっており、利用することが不可能であるため、この間、監視装置３による監視ができなくても差し支えはない。
【００２９】
なお、上述した実施例１に係るエスカレーター遠隔監視システムでは、エスカレーター１とそれに付設される監視装置３及び無線通信装置４とが１系統の構成である場合を説明したが、２系統以上が併設された構成であっても同様に適用できる。
【符号の説明】
【００３０】
１  エスカレーター
２  シャッタ
３  監視装置
４  無線通信装置
５  無線通信公衆基地局
６  公衆回線網
７  遠隔監視センタ
７ａ  データ受信装置
７ｂ  データ発信装置
７ｃ  通信不可時間帯格納用データベース
７ｄ  回線チェック通報時刻格納用データベース
７ｅ  データ収集実施時刻格納用データベース
７ｆ  通信情報処理制御装置
【図１】
0005503593.tif 000002
【図２】
0005503593.tif 000003
【図３】
0005503593.tif 000004